(57)【要約】【課題】  電子写真方式の画像形成装置本体に漏電遮断器を搭載する場合、サービスマンまたは、電子写真方式の画像形成装置の管理者（ユーザ）による、漏電遮断器本体の破損防止を図り、電子写真方式画像形成装置本体の安全性確保を図る電子写真方式の画像形成装置における筐体構造を提供する。【解決手段】  外部商用電源、電子写真方式の画像形成装置搭載および電源供給ユニット４までの経路に漏電遮断器２を有する電子写真方式の画像形成装置における筐体構造において、外部衝撃による前記漏電遮断器２の破損を防止するために、前記漏電遮断器２近傍に、保護部材７を設ける。【選択図】        図２
2006162892.tif 000002
【特許請求の範囲】
【請求項１】
外部商用電源と画像形成装置の電源供給ユニットまでの経路に漏電遮断器を有する画像形成装置における筐体構造において、前記漏電遮断器近傍に、保護部材を設けることを特徴とする画像形成装置における筐体構造。
【請求項２】
前記漏電遮断器の開閉スイッチ部分を覆うために、前記画像形成装置本体の外装開口部位に、開閉式のカバーを設けることを特徴とする請求項１記載の画像形成装置における筐体構造。
【請求項３】
前記漏電遮断器を固定するブラケットと前記漏電遮断器とを弾性体を介して固定することを特徴とする請求項１または２に記載の画像形成装置における筐体構造。
【請求項４】
前記弾性体は、ばねであることを特徴とする請求項３に記載の画像形成装置における筐体構造。
【請求項５】
前記画像形成装置の外装部分から、前記漏電遮断器をオン・オフする開閉スイッチの外側方向に、防護リブを設けることを特徴とする請求項１乃至４のいずれか一項に記載の画像形成装置における筐体構造。
【発明の詳細な説明】
【技術分野】
【０００１】
本発明は、電子写真方式の画像形成方法を用いる、ＰＰＣ・ファクシミリ・プリンタ等（カラー・モノクロ）および、その複合機能を有する画像形成装置における筐体構造に関するものである。
【背景技術】
【０００２】
従来、電子写真方式の画像形成装置に漏電遮断器を搭載する場合、この漏電遮断器自体に具備する機器動作チェック用ボタン、電源遮断手動動作用スイッチは、画像形成装置外部から機器使用者（ユーザ）・サービス従事者（サービスマン）が直接操作するため、機械本体の外側面付近に搭載する方法が一般的である。
【発明の開示】
【発明が解決しようとする課題】
【０００３】
しかしながら、電子写真方式の画像形成装置本体に、商用電源使用時、安全性を向上する目的で搭載する漏電遮断器の搭載構造には以下の問題点がある。
まず、漏電遮断器はその機器設置の目的上、破損すると電子写真方式画像形成装置の安全性の確保ができなくなるため、破損防止が重要項目となる。また、電子写真方式の画像形成装置本体に漏電遮断器を搭載する場合、本体搭載の電源供給ユニット（以下ＰＳＵと表記）近傍に漏電遮断器を設置する方法が一般的である。
これは、商用電源（ＡＣ電源）取り込み位置から、ＰＳＵまでの間に設置する必要性上、およびＡＣ経路全体を最短にするため、ＰＳＵ近傍に設置する必要があるためである。
ＰＳＵは一般的な電子写真方式の画像形成装置においては機械本体の下側、言い換えれば、設置する床面に近い位置に設置されている場合が多い。したがって、機械移動時に、床に設置した物または人間の足などが漏電遮断器に衝突して破損される可能性が高い。
第２に、漏電遮断器自体は、絶縁性の高い樹脂製のフレームを有する場合が多く、絶縁性の高い樹脂は、脆く、割れやすい性質があり、衝撃に非常に弱い構造となっている。
第３に、漏電遮断器自体の機能として、使用者およびサービスマンが外部からアクセスする必要性から、外装の一部に開口部分を設け、そこからアクセスするためにスイッチ部分が露出する形式となっているため、破損の危険性が高い。
そこで、本発明の目的は、上述した実情を考慮して、電子写真方式の画像形成装置本体に漏電遮断器を搭載する場合、サービスマンまたは、電子写真方式の画像形成装置の管理者（ユーザ）による、漏電遮断器本体の破損防止を図り、電子写真方式の画像形成装置本体の安全性確保を図る電子写真方式の画像形成装置における筐体構造提供することにある。
【課題を解決するための手段】
【０００４】
上記の課題を解決するために、請求項１に記載の発明は、外部商用電源、電子写真方式の画像形成装置搭載および電源供給ユニットまでの経路に漏電遮断器を有する電子写真方式の画像形成装置における筐体構造において、外部衝撃による前記漏電遮断器の破損を防止するために、前記漏電遮断器近傍に、保護部材を設ける電子写真方式の画像形成装置における筐体構造を特徴とする。
また、請求項２に記載の発明は、前記漏電遮断器の開閉スイッチ部分を覆うために、前記画像形成装置本体の外装開口部位に、開閉式のカバーを設ける請求項１記載の電子写真方式の画像形成装置における筐体構造を特徴とする。
また、請求項３に記載の発明は、前記漏電遮断器を固定するブラケットと前記漏電遮断器との間に挟み込む弾性体で固定する請求項１記載の電子写真方式の画像形成装置における筐体構造を特徴とする。
また、請求項４に記載の発明は、前記ブラケットと前記画像形成装置本体との間にばねを設ける請求項１記載の電子写真方式の画像形成装置における筐体構造を特徴とする。
また、請求項５に記載の発明は、前記電子写真方式の画像形成装置の外装部分から、前記漏電遮断器をオン・オフする開閉器部分より前記電子写真方式の画像形成装置の外側方向に、大きい防護リブを設ける請求項１乃至４のいずれか一項に記載の電子写真方式画像形成装置における筐体構造を特徴とする。
【発明の効果】
【０００５】
本発明によれば、電子写真方式の画像形成装置本体に漏電遮断器を搭載する場合、サービスマンまたは、電子写真方式の画像形成装置の管理者（ユーザ）による、漏電遮断器本体の破損防止を図り、電子写真方式画像形成装置本体の安全性確保を図ることが可能となる。
【発明を実施するための最良の形態】
【０００６】
以下、図面を参照して、本発明の実施の形態を詳細に説明する。図１は本発明を実施する画像形成装置本体の背面側に設置する電源部分とＡＣ入力コードおよび漏電遮断器の搭載状態を示す概略斜視図である。
図１において、画像形成装置本体１の背面側には、漏電遮断器２および本体搭載の電源供給ユニット（以下ＰＳＵと表記）を図示してない商用電源へ接続するためのＡＣ入力コード３が設けられている。
図２は図１の電子写真方式の画像形成装置本体下側の電源部分の内方面側を切り欠いた状態で示す概略図である。ＰＳＵ４はＡＣ入力端子５を有しており、これに漏電遮断器２を介してＡＣ入力コード３が接続される。
図２に示すように、商用電源からＡＣ入力コード３を経て、ＰＳＵ４へと至るＡＣ系の経路途中に、直結の形で漏電遮断器２を設置している。なお、図中、点線で示している部材は後述する本発明による開閉式のカバー７である。この開閉式のカバー７は漏電遮断器２の開閉スイッチ６の防護部材として役立つ。
図３は図１および図２の漏電遮断器を示す拡大斜視図である。一般的に、漏電遮断器２自体は高い電気絶縁性を確保するために、絶縁性の高い樹脂で外部が構成されており、絶縁性の高い樹脂は、硬く脆く、割れやすい、言い換えれば破損し易い構成となっている。
図４は外装部分から露出している漏電遮断器の開閉スイッチを説明する概略図である。図５は外装部分から露出している漏電遮断器の開閉スイッチを説明する他の概略図である。図４および図５に示すように、漏電遮断器２の開閉スイッチ６が外装部分から露出していると外部からの衝撃に対して弱い。
【０００７】
図６は本発明による筐体構造の開閉式のカバーの第１の実施の形態を示す概略図である。図７は開放された図６の開閉式のカバーを示す概略図である。開閉式カバー７について、これ自体はプラスチックモールド製で外部による衝撃からスイッチ動作を保護することができる。
図６の実施の形態において、開閉式のカバー７は、具体的には、プラスチックで構成し、開閉スイッチ位置が目視で確認し易いように、半透明または透明の樹脂製としている。勿論、外装と同様に透過性の無い樹脂で構成しても良い。また、金属製であっても本構成・機能を満足する。この例では、ヒンジ部７ａによって装置本体外壁に対して開閉自在に軸支されている。
図８は本発明による画像形成装置本体への漏電遮断器の取り付けを説明する概略図である。図９は図８の概略分解斜視図である。図１０は図８および図９における弾性体を示す概略斜視図である。
図８ないし図１０に示すように、漏電遮断器２を電子写真方式の画像形成装置本体１のベース１ａ（例のようにベースでなく、筐体にでも可）に取り付ける場合、取り付けブラケット８を介して、この取り付けブラケット８と漏電遮断器２との間に、図示のような、弾性体９を挟む構成で固定する。
その結果、外部からの衝撃が加わった場合、漏電遮断器２自体の自由度があるのと、衝撃吸収体（弾性体９）を挟んでいるため、破損しにくい構成となり本発明の目的を満足する。
本発明の実施の形態では、取り付けブラケット８を介して漏電遮断器を締結しているが、勿論、本体筐体構造の一部に弾性体を介して固定しても良い。かかる弾性体９も漏電遮断器２の開閉スイッチ６の防護部材として役立つ。
【０００８】
図１１は図１０の弾性体の変形例として使用するばね（コイルばね、板ばね等）を示す概略分解斜視図である。図１１に示すように、漏電遮断器２を電子写真方式の画像形成装置本体（図示せず）のベース（例のようにベースでなく、筐体にでも可）に取り付ける場合、取り付けブラケット８を介して、この取り付けブラケット８と漏電遮断器２との間に、図示のような、ばね１０を挿入し、段付き螺子１１で固定する。
その結果、外部からの衝撃が加わった場合、漏電遮断器２自体の自由度があるのと、一定以上の力が加わると、ばね（コイルスプリング）の撓みにより動くことができるため、破損しにくい構成となり、本発明の目的を満足する。本発明の変形例では、取り付けブラケット８を介して漏電遮断器２を締結しているが、勿論、本体筐体構造の一部にばねを介して固定しても良い。
図１２は本発明による筐体構造における開閉式のカバーの変形例を示す概略図である。図１２に示すように、漏電遮断器２を電子写真方式の画像形成装置本体１のベース（例のようにベースでなく、筐体にでも可）に取り付ける場合、電子写真方式の画像形成装置の外装開口部分の左右方向に、図示のような防護リブ１２を立てる。
かかる防護リブ１２は漏電遮断器２の開閉スイッチ６の両側を保護するので、外部からの物理的接触行為が、開閉スイッチ６自体に及びにくい。かかる構成とすることで、漏電遮断器事態が破損しにくい構成となり、本発明の目的を満足する。
【図面の簡単な説明】
【０００９】
【図１】本発明を実施する画像形成装置本体の背面側に設置する電源部分とＡＣコードおよび漏電遮断器の搭載状態を示す概略斜視図。
【図２】図１の電子写真方式の画像形成装置本体下側の電源部分の内方面側を切り欠いた状態で示す概略図。
【図３】図１および図２の漏電遮断器を示す拡大斜視図。
【図４】外装部分から露出している漏電遮断器の開閉スイッチを説明する概略図。
【図５】外装部分から露出している漏電遮断器の開閉スイッチを説明する他の概略図。
【図６】本発明による筐体構造の開閉式のカバーの第１の実施の形態を示す概略図。
【図７】開放された図６の開閉式のカバーを示す概略図。
【図８】本発明による画像形成装置本体への漏電遮断器の取り付けを説明する概略図。
【図９】図８の概略分解斜視図。
【図１０】図８および図９における弾性体を示す概略斜視図。
【図１１】図１０の弾性体の変形例として使用するばねを示す概略分解斜視図。
【図１２】本発明による筐体構造における開閉式のカバーの変形例を示す概略図。
【符号の説明】
【００１０】
１  画像形成装置本体、１ａ  画像形成装置本体のベース、２  漏電遮断器、３  ＡＣ入力コード、４  電源供給ユニット（ＰＳＵ）、６  開閉スイッチ、７  防護部材（開閉式のカバー）、８  取り付けブラケット、９  防護部材（弾性体）、１０  防護部材（ばね）、１２  防護部材（防護リブ）
【図１】
2006162892.tif 000003
【図２】
2006162892.tif 000004
【図３】
2006162892.tif 000005
【図４】
2006162892.tif 000006
【図５】
2006162892.tif 000007
【図６】
2006162892.tif 000008
【図７】
2006162892.tif 000009
【図８】
2006162892.tif 000010
【図９】
2006162892.tif 000011
【図１０】
2006162892.tif 000012
【図１１】
2006162892.tif 000013
【図１２】
2006162892.tif 000014